(57)【要約】【課題】少ない部品点数からなって、容易に廃棄可能で、使い勝手のよいペット用トイレを提供する。【解決手段】中央外側折り込み部は、独立回動されたときに、先端に形成された差し込み片が、平面部の表面に敷かれたトイレシートの端部を噛み込み、対応位置関係にある差し込み孔に差し込まれて中央外側折り込み部を平面部に係合させることを可能にする。この係合は、差し込み片を当該差し込み孔から引き抜かれることで解除される。【選択図】図１
0003181253.tif 000002
【実用新案登録請求の範囲】
【請求項１】
一枚のダンボール紙で四角形状のダンボール板が形成され、該ダンボール板の周囲の四辺部をそれぞれ同一方向の内側に折り込むことで四辺部を側壁部とし、四辺部で囲まれた平面部を底面部として組み立てられ、上方に向けて開放された形状のペット用トイレであって、
組み立て前の平面状のダンボール板が、内側に折り込み後に側壁部となる四辺部および該四辺部で囲まれた平面部に形成され、平面部の周囲に沿って複数の差し込み孔が形成され、
四辺部は、対峙する二つの辺部からなり、平面部に接続する側を内側とし、平面部に遠い側を外側として、それぞれ内側折り込み部、外側折り込み部およびその境界を中央折り込み部とされ、平面部と内側折り込み部がそれらの接続部で、また内側折り込み部と外側折り込み部が中央折り込み部を境界として内側に屈折可能とされ、各外側折り込み部は、それらの先端に、差し込み片が形成されて、差し込み孔との間に差し込み対応位置関係が形成され、
対峙する一方の二辺部の外側折り込み部には、平面部に向けての二つの切り裂きが形成されて、該外側折り込み部が左右独立外側折り込み部および中央外側折り込み部を形成し、該中央外側折り込み部は、左右独立外側折り込み部から独立して回動可能とされ、
ダンボール板の四辺部をそれぞれ同一方向の内側に屈折させ、四辺部を側壁部、平面部を底面部として組み立てられた構造体を形成したとき、
中央外側折り込み部は,独立回動されたときに、先端に形成された差し込み片が、平面部の表面に敷かれたトイレシートの端部を噛み込み、対応位置関係にある差し込み孔に差し込まれて中央外側折り込み部を平面部に係合させることを可能にし、該係合が、差し込み片を当該差し込み孔から引き抜かれることで解除されること
を特徴とするペット用トイレ。
【請求項２】
請求項１において、一枚のダンボール紙で形成され、端部に挿入片が形成された尿散乱防止ダンボール板が用いられ、対峙する他方の二辺部の中央折り込み部に、長手方向に延在する挿入孔が形成され、尿散乱防止ダンボール板の挿入片が挿入孔に挿入されて、尿散乱防止ダンボール板が挿入孔に保持されるようにしたことを特徴とするペット用トイレ。
【考案の詳細な説明】
【技術分野】
【０００１】
本考案は、ペット用トイレ、特に犬用のトイレに関する。
【背景技術】
【０００２】
特許文献１には、底面とこの底面の周縁に立設する周壁とを有したトイレ本体と、トイレ本体の周縁に適合した形状の押え部材とからなり、周壁の外周面に係合部を設け、押え部材に、この押え部材がトイレ本体に敷かれるトイレシートを押えた状態で、係合部に係合し、押え部材をトイレ本体に固定する固定部に設けたペット用トイレが記載されている。
【０００３】
特許文献２には、ペット用トイレが、トイレシートを載置するためのトイレ本体と、トイレ本体に載置されるトイレシートの縁辺部分を押えることの出来る形状に形成され、かつトイレ本体の一端に対して上下方向に回動可能に連結された押え部材とからなることが記載されている。
【０００４】
特許文献１あるいは２に示されるように、従来ペット用トイレは、皿状のトイレ本体と、トイレ本体の上面に載置されるトイレシートを固定するためにトイレ本体の周縁形状に合致した形状に形成される枠状の押え部材とから形成されている。
【先行技術文献】
【特許文献】
【０００５】
【特許文献１】特開平８−９８１９号公報
【特許文献２】特開２００３−３３９２６６号公報
【考案の概要】
【考案が解決しようとする課題】
【０００６】
従来、ペット用トイレは、特許文献１あるいは特許文献２に示されるように、トイレ本体とトイレシートを固定する押え部材とが別個の部材で形成され、これらの部材を組み合わせるための部材、構成が必要とされ、製作のための費用が高いものとなっていて、使い捨てトイレとすることが出来ない。
【０００７】
ペット用トイレは、これを使用するペットが排する便、あるいは尿がトイレ本体の外に散乱されないような構造にすることは当然に大切なことであるが、使用に伴って少しでも汚れたようなときに廃棄処分ができ、新たな衛生的なトイレとして使用できるようにすることが大切であり、このためには原価低減されたペット用トイレとして構成することが求められる。加えて、原価低減したペット用トイレを製作するに当たっては、少ない部品点数からなり、容易に廃棄可能でありながら、使用勝手のよい構造のものにすることが求められる。使用勝手がよいとは、例えばトイレ本体上に敷かれたトイレシートをトイレ本体に固定してずれないようにしながら使用後に容易確実に取り外しが出来るようにすることである。
【０００８】
本考案は、かかる点に鑑みて少ない部品点数からなって価格が安く、容易に廃棄可能で、使い勝手のよいペット用トイレを提供することを目的とする。
【課題を解決するための手段】
【０００９】
本考案は、
一枚のダンボール紙で四角形状のダンボール板が形成され、該ダンボール板の周囲の四辺部をそれぞれ同一方向の内側に折り込むことで四辺部を側壁部とし、四辺部で囲まれた平面部を底面部として組み立てられ、上方に向けて開放された形状のペット用トイレであって、
組み立て前の平面状のダンボール板が、内側に折り込み後に側壁部となる四辺部および該四辺部で囲まれた平面部に形成され、平面部の周囲に沿って複数の差し込み孔が形成され、
四辺部は、対峙する二つの辺部からなり、平面部に接続する側を内側とし、平面部に遠い側を外側として、それぞれ内側折り込み部、外側折り込み部およびその境界を中央折り込み部とされ、平面部と内側折り込み部がそれらの接続部で、また内側折り込み部と外側折り込み部が中央折り込み部を境界として内側に屈折可能とされ、各外側折り込み部は、それらの先端に、差し込み片が形成されて、差し込み孔との間に差し込み対応位置関係が形成され、
対峙する一方のニ辺部の外側折り込み部には、平面部に向けての二つの切り裂きが形成されて、該外側折り込み部が左右独立外側折り込み部および中央外側折り込み部を形成し、該中央外側折り込み部は、左右独立外側折り込み部から独立して回動可能とされ、
ダンボール板の四辺部をそれぞれ同一方向の内側に屈折させ、四辺部を側壁部、平面部を底面部として組み立てられた構造体を形成したとき、
中央外側折り込み部は,独立回動されたときに、先端に形成された差し込み片が、平面部の表面に敷かれたトイレシートの端部を噛み込み、対応位置関係にある差し込み孔に差し込まれて中央外側折り込み部を平面部に係合させることを可能にし、該係合が、差し込み片を当該差し込み孔から引き抜かれることで解除されること
を特徴とするペット用トイレを提供する。
【００１０】
また、本考案は、上述したペット用トイレにおいて、一枚のダンボール紙で形成され、端部に挿入片が形成された平板状尿散乱防止ダンボール板が用いられ、他方のニ辺部の内の一つの辺部の中央折り込み部に、長手方向に延在する挿入孔が形成され、尿散乱防止ダンボール板の挿入片が挿入孔に挿入されて、尿散乱防止ダンボール板が挿入孔に保持されるようにしたことを特徴とするペット用トイレを提供する。
【００１１】
ここで、ダンボール紙は、一枚の厚紙でできているのではなく、両面ダンボール紙の場合、「表の紙」「中芯」「裏の紙」の３枚の用紙で形成されたものであることが知られている。３枚の材質をそれぞれ変えることによって、強いものや軽いものができる。また、中芯は、規格で波の高さが決まっている。片面だけにライナーが付いた片面ダンボール紙も知られている。ダンボール紙は、軽量でありながら構造体としての強さと衝撃吸収性に優れている。
【考案の効果】
【００１２】
上述したように、本考案になるペット用トイレは、一枚のダンボール紙から構成可能であり、このダンボール板の一部から形成された、回動可能な中央折り込み部の差し込み片を差し込み孔に差し込むと敷かれたトイレシートをこの差し込み片および差し込み孔は噛み込み確実に保持するので、使用に際してすべりがなく、この保持を解く場合、両者の噛み合いを解除すれば直ちに行うことが出来る。ペット用トイレを構成する部品は、一枚のダンボール紙で形成することが出来るので、使用後分別することなく直ちに廃棄可能であり、焼却処分に便利である。そして、上述した中央折り込み部は、独立して回動可能とされているので、この回転動作によって敷かれたトイレシートをダンボール紙の性質を生かして容易確実に底面部に固定し、また解除を容易に行うことが出来る。
【図面の簡単な説明】
【００１３】
【図１】本考案であるペット用トイレの組み立て前の平板状のダンボール板の形状を示す図。
【図２】図１に示すダンボール板を組み立てて形成した構造体であるペット用トイレの斜視図。
【図３】ペット用トイレの底面部に敷かれるトイレシートの形状を示す図。
【図４】ペット用トイレに組み入れられる尿散乱防止ダンボール板の形状を示す図。
【考案を実施するための形態】
【００１４】
以下、本考案の実施例を図面に基づいて説明する。
【実施例】
【００１５】
図１は、本考案であるペット用トイレの組み立て前の平面状のダンボール板１の形状を示す図である。ダンボール板１は、四角形状をなす。厳密な意味での四角形ではない。本例の場合に、ダンボール板１は、図面上、横幅が縦幅よりもわずかに長い矩形状をなしている。矩形状であることは重要な要素ではなく、例えば正方形に形成してもよい。
【００１６】
本考案は、ペット、すなわち小型な愛玩動物用のトイレとして構成されるもので、特に犬用トイレとして供した時に最適な構造が提供される。以下、犬用トイレを例にとって説明する。ただ、説明に当たってペット用トイレの用語を使用することがある。
【００１７】
本考案の犬用トイレは、一枚のダンボール紙で四角形状のダンボール板１が形成され、このダンボール板１の周囲の四辺部をそれぞれ同一方向の内側に折り込むことで四辺部を側壁部とし、四辺部で囲まれた平面部を底面部として組み立てられ、立設され、上方に向けて開放された形状のペット用トイレとしての構造を有する。
【００１８】
図１において、図上の横軸方向（Ｘ軸方向）を水平方向、縦軸方向（Ｙ軸方向）を上下方向と称し、組み立てられた時の底面部に対する立脚方向（Ｚ軸方向）を立設方向と称する。
【００１９】
また、図１において、四角形状のダンボール板１は、上下方向の中央線、水平方向の中央線においてそれぞれ対象をなすので、煩わしさを無くすために、右側部分構成および上側部分構成について説明するものとして番号を付し、左側部分構成、下側部分構成については右側部分構成および上側部分構成についての説明を参照するものとして、繰り返しての説明をしない。左側部分構成および下側部分構成に説明が必要なときには構成部分の同一番号に“Ａ”を付して説明するものとする。
【００２０】
図１において、組み立て前の表面が平面状の平板状ダンボール板１（以下、ダンボール板という）が、内側に折り込み後に側壁部となる四辺部３、４およびこれらの四辺部３、４で囲まれた平面部２に形成され、平面部２の周囲である周縁に沿って複数の差し込み孔、第１の差し込み孔５、６、７および第２の差し込み孔８、９が形成される。
【００２１】
四辺部３、４は、対峙する二つの辺部（以下、辺部として説明する）３と４からなり、平面部２に接続する側を内側とし、平面部に遠い側を外側として、それぞれ内側折り込み部１１、１２、外側折り込み部１２、２２およびその境界を中央折り込み部１３、２３とされ、平面部２と内側折り込み部１１、２１との接続部１４、２０で、また内側折り込み部１１、２１と外側折り込み部１２、２２が中央折り込み部１３、２３を境界として内側に屈折可能とされ、各外側折り込み部１２、２２には、それらの先端に、差し込み片１５、１６、１７および２４、２５が形成されて、差し込み孔５、６、７および８、９との間に差し込み対応位置関係が形成される。対峙する一方向である上下方向の辺部３には、先端に、第１の差し込み片１５、１６、１７が形成され、対峙する他方の水平方向の辺部４には、差し込み片２４、２５が形成される。差し込み孔５、６、７は、中央折り込み部１３の幅と同じか多少それよりも大きめにするのがよい。
【００２２】
一方の辺部の外側折り込み部１２には、平面部２に向けての二つの切り裂き３１、３２が形成されて、この外側折り込み部１２が左右独立外側折り込み部４１、４２および中央外側折り込み部４３を形成し、この中央外側折り込み部４３は、左右独立外側折り込み部４１、４２から独立して回動可能とされる。すなわち、独立外側折り込み部４１、４２および中央外側折り込み部４３は各独立体として形成される。この中央外側折り込み部４３に組み立て時に対峙する内側折り込み部１１の対応位置には、穴部４５が形成される。
【００２３】
他方の辺部４には、長手方向端に、一方の辺部３に平行して延在する折り込み片５１、５２が形成される。
【００２４】
内側折り込み部１１、２１と中央折り込み部１３、２３との境界、中央折り込み部１３、２３と外側折り込み部１２、２２との境界および内側折り込み部１１、２１と平面部２との接続部１４、２０には折れ目が形成され屈強し易くされる。
【００２５】
差し込み孔５、６、７と差し込み片１５、１６、１７は水平方向に組み立て時対応位置に形成され、差し込み孔８、９と差し込み片２３、２４は対峙した対応位置に形成される。このように対応位置関係が形成される。差し込み孔５、６、７および８、９は同一形状孔としてあるが差し込みが可能であれば異なる形状孔としてもよい。本例の場合、接続部１４、２０の内側の平面部２に、すなわち平面部の周縁に沿って内側向きに差し込み孔５、６、７が形成してある。外側折り込み部１２は、その幅が差し込み片１５、１６、１７の長さを加えると内側差し込み部１１の幅より若干、例えば１ｍｍ長く形成してあり、内側折り込み部１１および外側折り込み部１２を回動させると差し込み片１５、１６、１７は平面部２に接触することになる。この接触によって、ダンボール紙で形成されている差し込み片１５、１６、１７は回動時回動の反対方向にわずかに曲がり、回動自体を阻害しないでスムーズに差し込み孔５、６、７に差し込まれることになる。この差し込み機能は、トイレシートを組み立て後の底面部に敷いたときにトイレシートの滑りとめ、ずれ防止機能、作用にとって重要である。また、一度差し込まれた差し込み片１５、１６、１７が差し込み孔５、６、７の左辺壁に弾力で押圧されて一定以上の力が加わらなければ抜き出ない。このようにしてトイレシートを噛み込む。回動された内側折り込み部１１および外側折り込み部１２は、元に戻ろうとして、押圧力を発生させる。抜き出させるためには人間の力を加えて逆方向に回動させる。
【００２６】
水平方向の辺部４についても係合方法は同様である。ただ、この辺部にはトイレシート噛み込み機能を設けなくても十分である。設けてもよい。
【００２７】
辺部４の中央折り込み部２３には、中央部において長手方向に延在する挿入孔５３が形成される。上述した差し込み孔および挿入孔のいずれも貫通孔である。
【００２８】
平面部２に向かって形成された二つの切り裂き３１、３２は、中央折り込み部１３を通り、内側折り込み部１１にまで達し、内方に向けて拡大する半円周形状とされている。他の形状であってもよい。例えば、直線状に形成されてもよい。
【００２９】
二つの切り裂き３１、３２を形成することで、外側折り込み部１２は、左右独立外側折り込み部４１、４２および中央外側折り込み部４３から形成される。すなわち、これらを形成することになる。そして、二つの切り裂き３１、３２を形成することで、中央外側折り込み部４３は、左右独立外側折り込み部４１、４２から独立して回動可能とされ、差し込み片１５、１６の差し込み孔５、６への差し込み、および差し込み片１７の差し込み孔７への差し込みに際して、時間差を設けることが出来ることになる。回動中心は、内側折り込み部１１の端面になる。回動中心を内側折り込み部１１の端面とすることで、中央外側折り込み部４３を内側に向けて屈折させ回動することができ、差し込み片１５、１６、１７を平面部２に接触させながら回動させることが出来ることになる。トイレシートをこれら両者の機能によって噛み込み、保持することが出来ることになる。
【００３０】
内側折り込み部１１に形成される穴部４５は、人間の指が入る大きさとされる。穴４５に指を入れ、係合している外側折り込み部１２の裏面を反回転方向に押して、係合を解除させて、トイレシートを底面部から取り外すことを可能とする。
【００３１】
辺部を構成する内側折り込み部２１および外側折り込み部２２には、長手方向（図おいて水平方向）にはそれぞれ平行に延在する折り込み片５１、５２が各独立して形成される。折り込み片５１と折り込み片５２との間には上下方向に空隙を設けておくのがよい。また、折り込み片５２は、屈折した時に内側に来るので、折り込み片５１より若干短く形成しておくのがよい。
【００３２】
以上のような構成になる犬用トイレのダンボール板１は、ダンボール紙から機械打ち抜きによって形成され、外形の大きさとしては、一例として、水平方向が６３３ｍｍ、上下方向が５０２ｍｍの長さで形成され、内側折り込み部１１、２１の長さは４４ｍｍ、外側折り込み部１２、２２の幅は４１ｍｍ、差し込み片の幅は５ｍｍ、中央折り込み部１３、２３の幅は１０ｍｍ、程度とされる。犬の大きさに対応してこれらの長さ、幅は随時調整して犬用トイレとして製作されればよい。
【００３３】
ダンボール板１の辺部３、４をそれぞれ同一方向の内側に屈折させ、辺部３、４を側壁部とし、上述した平面部を底面部、すなわちトイレ本体部として構造体の組み立てがなされる。この構造体の組み立ては次に示す工程に従ってなされる。
【００３４】
（１）水平方向の辺部の内側に向けての折り込み工程
中央折り込み部２３の両端境界で屈折させ、接続部２０で屈折させる。これらの屈折によって中央折り込み部２３の幅を置いて、内側折り込み部２１は屈折し、外側折り込み部２２は、３つの屈折によって回動し、内側折り込み部２１と外側折り込み部２２は並行配置とされ、接続部２０から上方に、平面部垂直方向に立設される。この立設高さは、内側折り込み部２１の幅となる。２つの折り込み片５１、５２も並列することになる。この並列した２つの折り込み片５１、５２を平面部２に向けて９０°折り曲げる。９０°よりも大きな角度で静止することになる。
【００３５】
（２）上下方向の辺部の内側に向けての折り込み工程
中央折り込み部１３の両端境界で屈折させ、接続部１４で屈折させる。これらの屈折によって中央折り込み部１３の幅を置いて、内側折り込み部１１は屈折し、外側折り込み部１２は、３つの屈折によって回動し、内側折り込み部１１と外側折り込み部１２は並行配置とされ、接続部１４から上方に、平面部２に対して垂直方向（Ｚ軸方向）に立設される。この時に、左右独立外側折り込み部４１、４２は、組み立て者によって回動される。左右独立外側折り込み部４１、４２が回動され、差し込み片１５、１６は対応した位置関係にある差し込み孔５、６の近辺に位置付けされる。この回動に伴って、左右独立外側折り込み部４１、４２と内側折り込み部１１との間は中央折り込み部幅の袋状空間部となる。袋状空間部に端面から並列形状とされた２つの折り込み片５１、５２をダンボール紙の弾力性質を利用しながら挿入する。この挿入によって、水平方向の辺部４は、上下方向の辺部に係合し、接続される。この接続は、挿入工程操作でなされ、他の接続部材、接続手法を必要としない。
【００３６】
この挿入による挿入工程操作によって、水平方向の辺部４と上下方向の辺部３は接続され、平面部２に対して９０°方向に立設される。
【００３７】
（３）差し込み、固定工程
辺部４と上下方向の辺部３の接続、立設化によって、差し込み片１５、１６および２４、２５は、それぞれ差し込み孔５、６および８、９の近辺に位置しているので、差し込み片１５、１６および２４、２５をそれぞれ差し入れ孔５、６および８、９に差し込む。辺部３、４には元に戻ろうとする押圧力が働いて、上述したように差し入れ辺１５、１６は差し込み孔５、６に係合、保持される。これによって左右独立外側折り込み部４１、４２が平面部２に係合され、固定される。
【００３８】
差し込み片２４、２５の差し込み部８、９への差し込みも同様になされる。これによって、辺部３および辺部４との接続が完成され、図２に示す構造体を持つ犬用トイレが出来上がる。
【００３９】
（４）トイレシートの噛み込み工程
底面部２上にトイレシート６０が載置、すなわち敷かれる。トイレシート６０は、固定された左右独立折り込み部４１、４２の底面部側側面に沿って敷かれる。左右独立折り込み部４１、４２は弾力性に起因して底面部との間にわずかに隙間が生じており、この隙間をトイレシートの左端はわずかに入り込み、差し込み孔７の上方にわずかに位置して載置される。このようにするとトイレシート６０の噛み込みは完全になされ得る。隙間に入り込まなくても差し込み片１７のトイレシート６０への接触によって差し込み孔１７内下方に巻き込まれる。
【００４０】
中央外側折り込み部４３は、独立回動され、差し込み片１７は、平面部２に敷かれたトイレシート上面を滑り、差し込み孔７に至ると、ここにトイレシート巻き込んだ形で若干落ち込み、これに伴ってトイレシートの端部を噛み込む。中央外側折り込み部４３の回動を止めると、中央折り込み部はやや反転回動して差し込み片１７は、差し込み孔に押圧力によって左方壁に固定される。これに伴って、トイレシートが差し込み孔７に差し込み片１７によって固定される。この状態になると、犬の使用が許容される。
【００４１】
（５）トイレシートの取り除き
使用後は、差し込み片１７を反回動方向に人力によって回動させて、差し込み片１７の差し込み孔７からの係合を解除させる。これに伴って、トイレシートの保持も解除されるので底面部２からトイレシートを取り除くことが出来る。
【００４２】
図２は、図１に示すダンボール板１を組み立てて形成した構造体９９を有するペット用トイレ（犬用トイレでもある。）１００を示す斜視図である。
【００４３】
２組の辺部３、４によって側壁部９８が形成され平面部２が底面部２とされた犬用トイレ１００が形成される。平面部、底面部は同一の面を指し、前者が組み立て前の面を、後者が組み立て後の同一面をさす。
【００４４】
中央外側折り込み部４３は,独立回動されたときに、先端に形成された差し込み片１７が、底面部２の表面に敷かれたトイレシートの端部を噛み込み、対応位置関係にある差し込み孔に差し込まれて中央外側折り込み部４３を底面部２に係合させることを可能にし、この係合は、差し込み片１７が当該差し込み孔７から引き抜かれることで解除される。解除したトイレシートは外部に取り除かれる。穴４５に指を差し入れて中央外側折り込み部４３の背面を押圧して反回動方向の力を差し込み片１７に作用させることで上述した解除は容易に行うことが出来る。
【００４５】
このように、トイレシートは上述したずれ止め機構によってずれ止めされ、犬が底面部２に乗った時にもずれることがなく、犬用トイレの汚れを小さくすることが出来る。
【００４６】
また、側壁部９８の高さを上述したように４４ｍｍ程度にすることによって、犬はこの犬用トイレに足を踏み入れて乗ることに抵抗を示さないことが本願の発明者等の実験を通して確かめられた。そして、この高さの利点は、この高さにすることで、犬は側壁部９８付近で尿あるいは便をすることをしないで、底面部２の中央付近で尿あるいは便をすることが分かった。これによれば、犬用トイレに使用期間が長くすることが出来る。
【００４７】
図３は、底面部２に敷かれるトイレシート６０を示す。トイレシート６０は、底面部２の全領域をカバーする面積を有するようにして形成される。このように形成することで、トイレシートを底面部２上に容易にセットすることが出来る。したがって、底面部２の形状に合わせてトイレシートの形状を決めるのがよい。トイレシート６０は、何枚かの組で販売されるのがよい。トイレシート６０は使用ごとに交換される。何度か使用して犬用トイレが汚れたような時には犬用トイレ１００を交換する。犬用トイレ１００も組で販売、提供されるのがよい。
【００４８】
図４は、犬用トイレに組み込まれる尿散乱防止ダンボール板９０を示す図である。
【００４９】
図４において、尿散乱防止ダンボール板９０は、犬がオスの場合に特に必要とされる。オス犬の場合に、尿が犬用トイレ１００の外側に散乱され易い。
【００５０】
尿散乱防止ダンボール９０は、一枚のダンボール紙で形成され、端部９１に挿入片９２が形成された形状をなす。挿入片９２に対応した、図面上下部の部位に人間の指を差し込んで操作をする指差し込み部９３が形成される。指差し込み部９３は、一端９４をダンボール板９０に接続状態が維持された屈折可能な蓋９５を設けることで形成される。尿散乱防止ダンボール９０は、一例として横４００ｍｍ、縦３３５ｍｍとして形成される。
【００５１】
図１において、尿散乱防止ガンボール板９０は、水平方向辺部の中央折り込み部２２に、長手方向に延在する挿入孔５３が形成され、尿散乱防止ダンボール板１の挿入片９２が挿入孔５３に挿入されて、保持される。
【００５２】
これによって、着脱自在にして尿散乱防止ダンボール板９０が犬用トイレ１００に設置され、オス犬が尿をするときに尿が犬用トイレ１００から外部への散乱が防止される。
【００５３】
以上のような構成になる本実施例の犬用トイレ１００は、一枚のダンボール紙で形成されたダンボール板が用いられて構成され、その構成に他の部材、手法を必要としないので、何度かの使用で汚れたときにはゴミ箱に直ちに捨てることが出来る。この廃棄に際しては、構造体の組み立てを解除することで一枚のダンボール板に戻し、折りたたんで廃棄容積を縮小することが出来るので、廃棄が極めて容易である。匂い防止にもなる。また、本実施例の犬用トイレ１００は、一枚のダンボール紙で出来ているので、焼却処分するのに何の不都合さを生じさせない。
【００５４】
そして、上述したように、トイレシート６０は、ずれ止め機構によってずれ止めされ、犬が犬用トイレ１００の底面部２に乗った時にもずれることがない。このずれ止め機構は、上述したようにダンボール板１の一部のよって形成されるので、犬用トイレから切り離すことなく一体的に廃棄処分することが出来る。
【符号の説明】
【００５５】
１…ダンボール板、２…平面部、底面部、３、４…辺部、５、６、７、８、９…差し込み孔、１１、１２…内側折り込み部、１２、２２…外側折り込み部、１３、４０…中央折り込み部、１４、２０…接続部、９０…尿散乱防止ダンボール板、１００…ペット用トイレ（犬用トイレ）。
【図１】
0003181253.tif 000003
【図２】
0003181253.tif 000004
【図３】
0003181253.tif 000005
【図４】
0003181253.tif 000006